(57)【特許請求の範囲】
【請求項１】
家畜の乳頭に直接密着させるパックを形成するための材料であって、少なくとも
（Ａ）高分子ラテックス
（Ｂ）低分子無機系凝集剤である凝集剤を含み、
前記（Ａ）高分子ラテックスが、天然又は合成ゴム、あるいは合成高分子を分散質として、主として水を含む分散媒に分散させたエマルジョンであり、
前記（Ｂ）凝集剤の低分子無機系凝集剤が、塩化カルシウムまたは塩化マグネシウムから選ばれる少なくとも１種である
家畜用乳頭パック材料。
【請求項２】
家畜の乳頭に直接密着させるパックを形成するためのキットであって、
所定の容器に収容された（ｉ）少なくとも（Ａ）高分子ラテックスを含む基剤、及び
前記容器とは異なる容器に収容された（ｉｉ）（Ｂ）低分子無機系凝集剤である凝集剤、との
組み合わせからなり、
前記基剤の（Ａ）高分子ラテックスが、天然又は合成ゴム、あるいは合成高分子を分散質として、主として水を含む分散媒に分散させたエマルジョンであり、
前記（Ｂ）凝集剤の低分子無機系凝集剤が、塩化カルシウムまたは塩化マグネシウム塩から選ばれる少なくとも１種である
家畜用乳頭パック形成用キット。
【請求項３】
前記（ｉｉ）凝集剤がさらに、（Ｃ）水及び／または水溶性溶媒を含むことを特徴とする請求項２に記載の家畜用乳頭パック形成用キット。
【請求項４】
請求項１に記載の家畜用乳頭パック材料を用い、乳頭に直接密着させるパックを生成させる、家畜用乳頭パックの形成方法。
【請求項５】
請求項１に記載の家畜用乳頭パック材料を用い、乳頭に直接密着させるパックを生成させることを特徴とする乳用家畜の乳房炎予防方法。
【請求項６】
（ｉ）少なくとも（Ａ）高分子ラテックスを含む基剤、及び
（ｉｉ）（Ｂ）低分子無機系凝集剤である凝集剤
の一方を乳用家畜の乳頭に直接付着させ、ついで他方を付着させることにより乳頭に直接密着させるパックを生成させる方法であり、
前記基剤の（Ａ）高分子ラテックスが、天然又は合成ゴム、あるいは合成高分子を分散質として、主として水を含む分散媒に分散させたエマルジョンであり、
前記（Ｂ）凝集剤の低分子無機系凝集剤が、塩化カルシウムまたは塩化マグネシウムから選ばれる少なくとも１種である
家畜用乳頭パックの形成方法。
【請求項７】
（ｉ）少なくとも（Ａ）高分子ラテックスを含む基剤、及び
（ｉｉ）（Ｂ）低分子無機系凝集剤である凝集剤
の一方を乳用家畜の乳頭に直接付着させ、ついで他方を付着させることにより乳頭に直接密着させるパックを生成させることを特徴とする乳用家畜の乳房炎予防方法であり、
前記基剤の（Ａ）高分子ラテックスが、天然又は合成ゴム、あるいは合成高分子を分散質として、主として水を含む分散媒に分散させたエマルジョンであり、
前記（Ｂ）凝集剤の低分子無機系凝集剤が、塩化カルシウムまたは塩化マグネシウムから選ばれる少なくとも１種である
乳用家畜の乳房炎予防方法。
【発明の詳細な説明】
【技術分野】
【０００１】
乳牛の重大な疾病の一つに乳房炎がある。乳房炎は、細菌その他の微生物が乳頭口から乳房内へ侵入し、定着・増殖することによって起こる感染病であるが、その発生機序が複雑であるので、いまだに根絶できず、酪農界に重大な経済的損失を与え続けている疾病である。乳房炎には種々のタイプや症状があるが、乳房の発赤、疼痛、膨張、発熱或いは乳汁中への乳魂の出現等、いわゆる臨床症状をともなった乳房炎の発見は容易であり、抗生剤治療の普及につれて世界的にも減少傾向にある。しかし、これらの臨床症状を示さないが乳汁を検査すると体細胞数の増加等の異常が発見される、いわゆる潜在性乳房炎については、産乳量や乳質の低下等多大な経済的損失を及ぼしているにも係わらず、その防除は遅々として進んでいない。
【０００２】
このような乳房炎を防除するために、現在世界的に推奨されているのは「５ポイント」と呼ばれる下記のような重点対策である。
（１）ミルカーの点検整備を含めた搾乳施設等の衛生対策、
（２）乳頭の消毒、
（３）臨床型乳房炎の治療、
（４）乾乳期治療（ｄｒｙ  ｃｏｗ  ｔｈｅｒａｐｙ，ＤＣＴ）、
（５）問題牛の淘汰（以上、非特許文献１，２，３）
上記に挙げられた対策の中でも、乳牛の乳頭消毒は、乳房炎防除の最も重要な予防対策の一つであり、英国のＤｏｄｄらが１９５２年に乳頭消毒剤を開発、実施し、日本では昭和４０年頃より乳質改善事業の一環として使用が実施されるようになり、今日では４０％の普及率となっている。
【０００３】
現在一般に実施されている乳頭消毒は、搾乳後に乳頭をディッピング剤（殺菌消毒剤水溶液）に浸漬する方法（所謂ポストディッピング）であり、乳頭皮膚表面に付着する乳房炎起因菌を殺菌消毒し、さらに保湿剤によりひび割れ等の乳頭皮膚の状態を改善し、乳頭表面の細菌の増殖を抑制することにより、乳房炎を予防することにあり、これまで、様々なポストディッピング剤が提案（例えば特許文献１、特許文献２）されており、市場では多数の製品が市販されている。
【０００４】
しかしながら、米国のｔｈｅ Ｎａｔｉｏｎａｌ  Ｉｎｓｔｉｔｕｔｅ  ｆｏｒ  Ｒｅｓｅａｒｃｈ  ｉｎ  Ｄａｉｒｙｉｎｇにより実施された試験において、ポストディッピング実施乳牛群の１２カ月間での新たな感染は５０％減少したものの、それは既に感染していた乳房の全体からみると僅か１４％の減少でしかなかった。このことから、既存菌による亜臨床型感染が持続したことが伺えたと報告している。即ち、このポストディッピングは、伝播性の乳房炎起因菌による新たな感染の率は減少させるものの、いわゆる環境性乳房炎の起因菌に対する防除効果に関しては、思ったほど効果が期待できないということである。
【０００５】
つまり、搾乳後の消毒（ポストディッピング）のみでは、その効果持続期間（例えば適用後、乳頭が牛床などに接触した際に、薬液が乳頭から除かれて効果が失われるまでに、１〜２時間）が比較的短いため、次の搾乳までに殺菌効果が消失してしまうため、環境性の起因菌に対しては、その効果に限界があった。
一方、乳房炎起因菌から乳牛の乳頭を守る手段として、乳牛の乳頭全体をマスキングすることにより、細菌その他の微生物が乳頭口から乳房内へ侵入するのを防止する技術が提案されている。
【０００６】
例えば、特許文献３は、「乳牛の乾乳期において、乳房炎に感染しやすい乾乳期の初めの約２日〜９日程度の間、及び分娩前約２日〜９日程度の間、乳頭を乳頭シール剤に浸漬して乳頭に乳頭口を閉塞する薄膜を形成した状態に保持しておくことにより、乳房炎起因菌の感染を物理的に阻止することを特徴とする乳牛の乳房炎予防方法。」を開示している（請求項１）。更に、特許文献３は、乳頭口を浸漬させる乳頭シール剤として、テトラヒドロフラン、アセトニトリル、トリクロロエタン、トリクロロエチレン、メチレンクロライド等のフロン代替体、トルエン、キシレン等の芳香族化合物を溶媒として、ウレタンゴム、ラテックスゴム、ブタジエン樹脂、ポリビニルアルコール、液状ブチルゴム、液状ゴム、天然ゴム、ブチルゴム、ニトリルゴム、クロロプレンゴム、酢酸ビニルゴム等から選択されたゴム素材を５〜１５％の濃度で溶解したものを記載している。
【０００７】
しかしながら、特許文献３のゴム系素材は溶媒が揮発しパックを形成するまでに時間を要するため、パック装着後、パック形成前に牛が横臥休息した場合、液が散逸しパックが形成されないという問題を有していた。また、ゴム系素材が乾燥する際に、アセトニトリルやトルエンなどの有害な有機溶媒が揮発するため、人体又は乳牛の健康を害する恐れがあった。
【０００８】
また、特許文献４は、「少なくとも、水、カルシウム塩およびアルギン酸塩を含み、かつ、ゲル化前の粘度が５０００〜１５０万ｍＰａ・ｓｅｃである乳頭パック。」を開示しており、更に、該乳頭パック中にヨウ素などの抗菌剤を配合しておくことで、長期間乳頭を乳房炎起因菌などから保護できるとして提案されている。
【０００９】
しかし、特許文献４に記載されている乳頭パックでは、アルギン酸塩や硫酸カルシウム塩からなる粉末成分を使用直前に、水などの溶剤と混錬して得られるペーストを乳頭に塗布して使用すると説明されている。硫酸カルシウムは水に不溶、つまり疎水性成分であり、水などの親水性溶剤中に均一に分散させることは非常に難しく、所望の分散性を得るためには、術者に多大な労力及び熟練を要求するだけでなく、混錬の際には粉末成分が周囲に飛散してしまうという問題を有していた。
【００１０】
また、特許文献４には、粉末であるアルギン酸塩や硫酸カルシウム塩からなる成分をグリセリンやプロピレングリコールなどの親水性溶剤に予め分散させておくことで、上記問題が軽減されるとしてあるが、この場合であっても表面が疎水的である硫酸カルシウムを親水性溶剤中に分散させておくのが困難なため、経時的に沈降分離を起こしてしまう。その結果、場合によっては、使用する際（水と混錬する際）に、かえって分散性を損ねてしまい、混錬に時間がかかったり、気泡が混入したりして、得られる乳頭パックの均一性や硬化性が低下し、乳頭への密着性が悪化したり、乳頭から剥離し易くなったりしていた。
【００１１】
以上のように、乳頭パックには、（イ）瞬時にパックが形成し、乳頭に密着し、長期間乳頭から剥離しないこと、特に乳頭口を閉塞しておくこと、（ロ）簡便な操作により乳頭へのパックが可能であること等が望まれている。
【先行技術文献】
【特許文献】
【００１２】
【特許文献１】特開平８−１７５９８９号公報
【特許文献２】特開平１１−１５５４０４号公報
【特許文献３】特開２０００−４１５２９号公報
【特許文献４】特開２００６−５０９１１号公報
【非特許文献】
【００１３】
【非特許文献１】畜産大事典編集委員会代表者長沢弘著、１９９６年２月２０日、畜産大事典、株式会社養賢堂
【非特許文献２】酪農大事典生理・飼育技術・環境管理、２０１１年３月３１日、社団法人農山漁村文化協会
【非特許文献３】株式会社講談社サイエンティフィック編、新編畜産ハンドブック、２００６年９月１０日、株式会社講談社
【発明の概要】
【発明が解決しようとする課題】
【００１４】
以上の背景にあって本発明は、家畜の、主として乳牛の乳頭を乳房炎から予防するために使用される乳頭パックにおいて、長期間乳頭に密着し剥離しないパックを容易な操作により、瞬時に形成させることが可能である家畜用乳頭パック材料を提供することを目的とする。
【課題を解決するための手段】
【００１５】
上記の目的に鑑み鋭意研究の結果、本発明者は、高分子ラテックスと金属塩、酸、及びそれらの混合物により形成されるパックが、瞬時にパックが形成し、パック装着操作が簡便である上、乳頭への密着性が良いことを見出し、本発明を完成するに至った。
【００１６】
すなわち、本発明は、家畜の乳頭に直接密着させるパックを形成するための材料であって、少なくとも（Ａ）高分子ラテックス
（Ｂ）低分子無機系凝集剤である凝集剤を含み、
前記（Ａ）高分子ラテックスが、天然又は合成ゴム、あるいは合成高分子を分散質として、主として水を含む分散媒に分散させたエマルジョンであり、
前記（Ｂ）凝集剤の低分子無機系凝集剤が、塩化カルシウムまたは塩化マグネシウムから選ばれる少なくとも１種である
家畜用乳頭パック材料である。
【００１７】
本発明の家畜用乳頭パック材料は、パックの強度を高めるため、前記（Ａ）高分子ラテックスが天然又は合成ゴム、あるいは合成高分子を分散質として、主として水を含む分散媒に分散させたエマルジョンである。
【００１８】
本発明の家畜用乳頭パック材料は、パックの強度を高めるため、前記（Ｂ）凝集剤の低分子無機系凝集剤が、塩化カルシウムまたは塩化マグネシウムから選ばれる少なくとも１種である。
【００２０】
本発明の家畜用乳頭パック材料は、家畜の乳頭に密着させるパックを形成するためのキットであって、所定の容器に収容された（ｉ）少なくとも（Ａ）高分子ラテックスを含む基剤、及び前記容器とは異なる容器に収容された（ｉｉ）少なくとも（Ｂ）低分子無機系凝集剤、高分子無機系凝集剤、合成高分子凝集剤、酸、及びそれらの混合物から成る群から選択された凝集剤、との組み合わせからなる家畜用乳頭パック形成用キットであることが好ましい。
【００２１】
本発明の家畜用乳頭パック材料は、前記（ｉｉ）凝集剤が更に（Ｃ）水及び／または水溶性溶媒を含む家畜用乳頭パック形成用キットであることが好ましい。
【００２２】
本発明の家畜用乳頭パック装着の一実施態様は、上記の家畜用乳頭パック材料を用い、乳頭に密着させるパックを生成させることが好ましい。
【００２３】
本発明の家畜用乳頭パック装着の一実施態様は、（ｉ）（Ａ）高分子ラテックスを含む基剤、及び（ｉｉ）（Ｂ）低分子無機系凝集剤、高分子無機系凝集剤、合成高分子凝集剤、酸、及びそれらの混合物から成る群より選択された凝集剤の一方を乳用家畜の乳頭に付着させ、次いで他方を付着させることにより乳頭に密着させるパックを生成させることが好ましい。
【発明の効果】
【００２４】
本発明の家畜用乳頭パック材料は、誰でも簡単に、瞬時に各成分の均一性（分散性）に優れる乳頭パックを調製できる。また、パックは乳頭に密着し、長期間乳頭から剥がれることがない。また形成したパックは弾性が高いため、搾乳期の乳牛乳頭の収縮及び膨張の動きにも追随できる。再搾乳の際あるいは緊急時には、付帯設備又は材料などを使用せずに速やかに外すことができる。搾乳期の乳牛を乳房炎などの感染症から効率的に予防することができ、極めて有望である。
【発明を実施するための形態】
【００２５】
本発明の乳頭パック材料を用いると、簡便な手法により、瞬時に家畜の乳頭に密着したパックが得られ、該パックは長期間乳頭から剥がれることがない。パックは、基剤、凝集液の一方を家畜の乳頭に付着させ、次いで他方を付着させることで、ラテックス粒子の凝集により生成するため、非常に簡便な手法で得ることができる。
【００２６】
これにより、乳頭口付近が完全に密封されるうえ、搾乳牛の乳頭が収縮、膨張を繰り返してもパックがその動きに追随でき、乳頭に密着した状態を保つことが出来るため、乳房炎原生菌などの乳頭口への侵入を確実に防止する事が可能となる。
【００２７】
また、本発明の乳頭パック材は、使用直前の混練操作が不要であり、混練不足による乳頭パックの不均一化や、気泡混入などの問題も解消される。
【００２８】
なお、本発明の乳頭パック材料は予め（Ａ）高分子ラテックスに（Ｂ）低分子無機系凝集剤、高分子無機系凝集剤、合成高分子凝集剤、酸、及びそれらの混合物を添加し、凝集途中の（Ａ）高分子ラテックスに乳頭を浸漬させて膜を形成させることが出来るが、操作時間に余裕を持たせるために、（ｉ）少なくとも（Ａ）高分子ラテックスを含む基剤と（ｉｉ）少なくとも（Ｂ）低分子無機系凝集剤、高分子無機系凝集剤、合成高分子凝集剤、酸、及びそれらの混合物から成る群より選択された凝集剤との組み合わせからなるキットとする形態が好ましい。
【００２９】
以下、本発明のパックの各構成成分について詳細に説明する。
（Ａ）高分子ラテックス
本発明の高分子ラテックスは、天然又は合成ゴム、あるいは合成高分子を分散質とし、水を含む分散媒に分散させたエマルジョンである。
【００３０】
「ラテックス」は本来、天然ゴムの樹から採取される乳白色の水系エマルジョンにつけられた名称で、通常はラテックスと言えば天然ゴムラテックスを指す（狭義のラテックス）。然しながら、合成ゴムや合成樹脂などのゴム系高分子を分散質とし、種々の有機溶媒又は無機物の水溶液を分散媒としたコロイドゾルもラテックスと呼称されている（広義のラテックス）。乳化重合法を用いて製造した合成ゴムの水分散液を合成ゴムラテックスと呼称して、天然ゴムラテックスと区別することもあり、またゴム以外の樹脂のエマルジョンを樹脂ラテックスと呼称し、ゴムラテックスと区別することもある。然しながら、近年、天然ゴムラテックス、合成ゴムラテックス及び樹脂ラテックスの全てを包有する用語として「ラテックス」という用語が使用されている。従って、本発明でも、以下「ラテックス」を広義の意味で使用する（室井宗一：高分子ラテックスの化学、高分子刊行会（１９７６）参照）。本発明では、ゴム系高分子を分散させる分散媒は、高い安全性及びコストを抑える観点から主に水を用いるのが好ましい。
【００３１】
本発明の高分子ラテックスの種類は特に制限されないが、パックの強度を高めるため、ゴム系高分子の水分散液が好ましい。分散媒として、若干量の有機溶媒は許容され、１０質量％以下、好ましくは５質量％以下の有機溶媒は存在しても構わない。ゴム系高分子としては、例えば、天然ゴムや、イソプレンゴム、ブチルゴム、ブタジエンゴム、エチレン―ブタジエン共重合体ゴム、エチレン―プロピレンゴム、スチレン―ブタジエン共重合体ゴム、スチレン―イソプレン共重合体ゴム、ウレタンゴム、チオコールゴム、ニトリルゴム、ニトリル―ブタジエン共重合体ゴム、クロロプレンゴム、クロロスルホン化ポリエチレンゴム、塩素化ポリエチレンゴム、アクリルゴム、酢酸ビニルゴム、エチレン―酢酸ビニルゴム、エピクロルヒドリンゴム、シリコーンゴム、ポリサルファイドゴム、ポリエーテルゴム、フッ素ゴム、多硫化ゴム等の合成ゴムまたはその誘導体の水分散液から選ばれる少なくとも１種であることが好ましい。なお、ゴム系高分子の誘導体とは、下記に示すように、ゴム系高分子を互いに共重合させたものやゴム系高分子の表面をカルボキシル基などの反応性機能性官能基に変性させたもの等を指す。上記に挙げたゴム系高分子の中で、表面が負の電荷を帯びている場合の方が、多価金属化合物や酸（水素イオン）を添加した場合、ゴム系高分子表面の電荷が中和され、ゴム系高分子同士の反発力がなくなり、より早くゴム系高分子同士が癒着し、凝集するため好ましい。また、上記に挙げたゴム系高分子の中でも家畜乳頭の膨張、収縮に耐えられるように伸びが大きく高い強度を有するゴム系高分子の水分散液がより好ましい。これら、凝集のし易さや、伸びが大きく高い強度を有する観点から、天然ゴムあるいはイソプレンゴムの水分散液から構成されるラテックスが好ましい。天然ゴムあるいはイソプレンゴムの中でも、予め一部を架橋させたものは更に強度が高く好ましい。上記のラテックスは２種以上の混合物であっても良く、互いに共重合していても良い。共重合の形態は、ランダム共重合、交互共重合、周期的共重合、ブロック共重合、グラフト共重合のいずれでも良い。ラテックス粒子中の高分子の構造は、直鎖状、分岐状、デンドリマー状、網目状、環状などいずれでも良い。また、ラテックス粒子の表面をカルボキシル基などの反応性機能性官能基に変性させたものも用いることが出来る。ラテックス粒子を安定化させるために、アンモニア等の各種安定剤やグリセリン脂肪酸エステル、ラウリン酸エステル等の界面活性剤が添加されているものも用いることが出来る。また、必要に応じて、加硫剤、加硫促進剤、加硫促進助剤、加硫遅延剤、劣化防止剤（酸化防止剤、オゾン防止剤等）、加工助剤（可塑剤、軟化剤、粘着付与材等）、分散剤、クリーミング剤、泡立て剤、感熱剤（亜鉛アンモニウム錯塩、ポリビニルメチルエーテル等）などを添加したものを用いることも出来る。高分子ラテックス中の固形分濃度は２０質量％以上９０質量％以下であることが好ましく、３０質量％以上８５質量％以下であることがより好ましい。
【００３２】
固形分濃度が２０質量％を下回る場合、パック形成に時間を要し、またパックの強度が弱くなる傾向にある。一方、固形分濃度が９０質量％を上回る場合、基剤の粘度が高くなりパックの乳頭への塗布性が低下する傾向にある。
（Ｂ）低分子無機系凝集剤、高分子無機系凝集剤、合成高分子凝集剤、酸、及びそれらの混合物から成る群より選択された凝集剤
高分子ラテックスを構成するポリマー微粒子の表面には、例えば乳化剤分子の親水基（スルホン酸基、水酸基など）が結合して負電荷を帯びている。凝集剤は、高分子ラテックスを構成するポリマー微粒子の表面の電荷を中和し、粒子を凝集させる役割を有する。
１．低分子無機系凝集剤（金属塩）
低分子無機系凝集剤は、多種多様な金属塩が例示される。凝集剤の中でも金属塩は、特に、このような負電荷を帯びるラテックス粒子の凝集を効果的に生じさせる。本発明において凝集剤として作用する金属塩は、広義には、酸由来の陰イオンと塩基由来の陽イオンがイオン結合した化合物と定義し、酸と塩基の中和反応、酸と塩基性酸化物との反応、酸と金属単体との反応、塩基と酸性酸化物との反応、塩基と非金属の単体との反応、酸性酸化物と塩基性酸化物との反応、非金属単体と金属との反応によって生成され、ラテックスの分散媒中で電離して金属イオンを生じうる化合物である。金属塩の種類は、上記作用を有するものである限り特に制限されることなく、既に公知のもの全てが使用できる。そのような金属塩として、例えば、塩化カルシウム、塩化マグネシウム、塩化鉄、塩化スズ、塩化アルミニウム、塩化チタン、塩化ナトリウム、塩化カリウム、硫酸カルシウム、硫酸マグネシウム、硫酸亜鉛、硫酸アルミニウム、硫酸鉄、硫酸ジルコニウム、硫酸ナトリウム、硫酸カリウム、酸化亜鉛、酸化マグネシウム、酸化アルミニウム、酸化鉄、酸化チタン、酸化ジルコニウム、酸化スズ、水酸化アルミニウム、水酸化鉄、水酸化ジルコニウム、水酸化スズ、水酸化ナトリウム、水酸化カリウム、酢酸亜鉛、酢酸ナトリウム、酢酸カリウム、乳酸カルシウム、乳酸亜鉛、乳酸ナトリウム、乳酸カリウム、フッ化チタン酸カリウムなどの金属塩が挙げられる。これらは２種以上の混合物であっても良い。これらの中でも瞬時にラテックス粒子を凝集させるため二価の金属塩が好ましく、その中でもカルシウム塩、マグネシウム塩がより好ましい。
２．高分子無機系凝集剤
高分子無機系凝集剤としては、ポリ塩化アルミニウム（［Al2(OH)nCl6-n]m）、ポリ硫酸アルミニウム（[Al2(OH)n(SO4)3-n/2]m）、ポリ塩化鉄（III）([Fe2(OH)nCl6-n]m)、ポリ硫酸鉄（III）([Fe2(OH)n(SO4)3-n/2]m)等が例示される。
３．合成高分子凝集剤
本発明で凝集剤として使用される合成高分子凝集剤としては、［ノニオン系］として、ポリアクリルアミド、ポリエチレンオキシド、尿素―ホルマリン樹脂等が例示され、［アニオン系］として、ポリアクリル酸ナトリウム（アクリルアミド−アクリル酸ナトリウム共重合物）、ポリアクリルアミド部分加水分解物、スルホメチル化ポリアクリルアミド、ポリアミノアルキル（メタ）アクリレート、ハロゲン化ポリビニルピリジウム、ハロゲン化ポリジ
アリルアンモニウム脂等が例示され、［カチオン系］として、ポリアミノメチルアクリルアミド、ポリビニルイミダゾリン、キトサン、エポキシアミン系等が例示される。これらは、数万〜数百万の分子量を有し、分子量が大きいほど電荷が大きくなる。
４．酸
高分子ラテックスを構成するポリマー微粒子を凝集させる凝集剤としての酸は、その種類は特段に限定されないが、安全性の面などからクエン酸、乳酸、酢酸、リンゴ酸、フマル酸、マレイン酸、酒石酸、グルコン酸、コハク酸、プロピオン酸、酪酸等が好ましい。これらは、金属との塩でも良く、また２種以上の混合物であっても良い。
［添加剤］
本発明のパック材料には、以上に説明した主成分としての各成分以外にも、必要に応じて各種の添加剤を配合することができる。添加剤としては、例えば、（Ｃ）水及び／または水溶性溶媒、殺菌消毒剤、充填材、増粘剤、着色料、香料、防腐剤等が挙げられる。
（Ｃ）水及び／または水溶性溶媒
本発明の家畜用乳頭パック材料は、（ｉ）高分子ラテックスを含む基剤、（ｉｉ）低分子無機系凝集剤、高分子無機系凝集剤、合成高分子凝集剤、酸、及びそれらの混合物から成る群より選択された凝集剤からなるキットとして保存することが好ましい。また、（ｉｉ）凝集剤には、（Ｃ）水及び／または水溶性溶媒を加え、（Ｂ）低分子無機系凝集剤、高分子無機系凝集剤、合成高分子凝集剤、酸及びそれらの混合物から成る群より選択された凝集剤を溶解し、均一な凝集剤を調製することが好ましい。均一な凝集剤を使用することで、パックの組成の均一性が良くなり、密着性を更に向上させることができる。水溶性溶媒の種類は、（Ｂ）低分子無機系凝集剤、高分子無機系凝集剤、合成高分子凝集剤、酸及びそれらの混合物から成る群より選択された凝集剤を十分に溶解させ、人体又は家畜に著しく有害なものでない限りは特に制限されることなく、既に公知のもの全てが使用できる。その中でも、エタノール、プロパノール、ブタノール、アセトン等が好ましい。（Ｃ）水及び／または水溶性溶媒の配合量は、特に制限されないが、（Ｂ）低分子無機系凝集剤、高分子無機系凝集剤、合成高分子凝集剤、酸及びそれらの混合物から成る群より選択された凝集剤１００質量部に対しての（Ｃ）水及び／または水溶性溶媒の配合量は、１５０質量部以上４０００質量部以下が好ましく、２００質量部以上３０００質量部以下がより好ましい。水及び／または水溶性溶媒の配合量が低分子無機系凝集剤、高分子無機系凝集剤、合成高分子凝集剤、酸、及びそれらの混合物から成る群より選択された凝集剤１００質量部に対して、４０００質量部を超える場合、ラテックスの凝集が瞬時に起こらない可能性がある。一方で、水及び／または水溶性溶媒の配合量が低分子無機系凝集剤、高分子無機系凝集剤、合成高分子凝集剤、酸及びそれらの混合物から成る群より選択された凝集剤１００質量部に対して、１５０質量部に満たない場合には、低分子無機系凝集剤、高分子無機系凝集剤、合成高分子凝集剤、酸、及びそれらの混合物から成る群より選択された凝集剤が十分に水及び／または水溶性溶媒に溶解しない可能性を有する。
【００３３】
パック材料に殺菌消毒効果を持たせ、乳頭口付近の細菌数増加を抑えるために、殺菌消毒剤を用いても良い。殺菌消毒剤は、乳房炎などの病気を引き起こす各種の細菌、真菌、ウイルス等の広範囲の有害な微生物を死滅させることができるものであれば特に限定されず、例えば、ヨウ素化合物、銀、銅、亜鉛、チタン、鉄などの金属及び金属塩、茶葉粉末、ヒノキ粉末、キトサン、塩化ベンザルコニウム、塩化ベンゼトニウム、カプリル酸モノグリセリドなどの脂肪酸エステルとトリクロサン、イソプロピルメチルフェノール、塩化セチルピリジニウム、レゾルシン、トリクロロカルバニド、ハロカルバン、クロルヘキシジン、塩酸クロルヘキシジン、グルコン酸クロルヘキシジン、アクリノール、次亜塩素酸ソーダ、過酸化水素等を例示することができる。殺菌消毒剤は、基材及び凝集剤の両方またはいずれかに添加しても良い。
【００３４】
これらの中でも、人あるいは家畜に対する皮膚刺激性や、殺菌消毒効果の持続性、及びコスト面における観点から、ヨウ素化合物及び銀が好適である。ヨウ素化合物としては、例えばヨウ素、ポピドンヨウ素、ヨウ素酸ナトリウム、ヨウ素酸カリウム、ヨウ化ナトリウム、ヨウ化カリウム、ヨードホルムなどが挙げられる。
【００３５】
殺菌消毒剤の配合量は特に制限されないが、通常基剤または凝集剤中に０．１〜１０質量％の範囲で含まれているのが好ましい。
【００３６】
パックの物性を調整するために充填材を用いても良い。充填材は、基剤及び凝集液の両方またはいずれかに添加しても良い。充填剤としては、シリカ、アルミナ等の金属または半金属の酸化物、フッ化チタンカリウム、ケイフッ化カリウム等の無機フッ素化合物、シリコーン樹脂の粒子等を用いることが好ましい。
【００３７】
充填材の配合量は特に制限されないが、通常基剤または凝集剤中に０．５〜３０質量％の範囲で含まれているのが好ましい。
【００３８】
また、基剤及び／または凝集剤の粘度を調整し、乳頭への基剤及び／または凝集剤（液）の歩留まりを改善するために、増粘剤を用いても良い。増粘剤は、下記に示す無機増粘剤、合成の石油をベースとする増粘剤のいずれかあるいは組み合わせて用いても良い。
【００３９】
無機増粘剤は、概して、コロイドケイ酸マグネシウムアルミニウム、コロイド粘土のような化合物であり、これらはヒューム処理するか、あるいは沈澱させて、大きい表面−サイズ比を有する粒子にされたものである。
【００４０】
合成の石油をベースとする水溶性ポリマーは、適当なモノマーの直接的重合により製造される。このモノマーの代表例は、ビニルアルコール、ビニルピロリドン、ビニルメチルエーテル、アクリル酸、メタクリル酸、アクリルアミド、エチレンオキシド、およびエチレンイミンである。
【００４１】
パックを着色し、パックの視認性を高めるために、着色料を用いても良い。着色料の種類は特に制限されないが、チタニア粒子、炭酸カルシウム、酸化亜鉛等を好ましい例として挙げることができ、その中でもチタニア粒子がより好ましい。
【００４２】
乳頭皮膚上や乳頭口付近に起こる肌荒れやビランを改善するために、パック材に保湿成分、化粧成分、薬用成分を添加しても良い。保湿成分の例としては、ヒアルロン酸ナトリウム、グリセリン、ラノリン、ソルビトール等を好ましい例として挙げることができる。化粧成分としては、ヒマシ油、ヤシ脂肪酸カリウム等を好ましい例として挙げることができる。薬用成分としては、アロエベラ葉エキス、ユーカリ油等を好ましい例として挙げることができる。
【００４３】
［調製方法及び使用方法］
（１）基剤及び凝集剤の調製方法
基剤や（Ｂ）低分子無機系凝集剤、高分子無機系凝集剤、合成高分子凝集剤、酸を（Ｃ）水及び／または水溶性溶媒に溶解させた場合の凝集剤の調製方法は、特に制限されるものではないが、公知の攪拌混合機を用いて調製することが出来る。ここで、攪拌混合機としては、例えばボールミルのような回転容器型混合混錬機、リボンミキサー、コニーダー、インターナルミキサー、スクリューニーダー、ヘンシェルミキサー、万能ミキサー、レーディゲミキサー、バタフライミキサー、などの水平軸または垂直軸を有する固定容器型の混合混錬機を利用することが出来る。なお、凝集剤調製に関して（Ｂ）低分子無機系凝集剤、高分子無機系凝集剤、合成高分子凝集剤、酸が（Ｃ）水及び／または水溶性溶媒に対して相対的に溶解性の高い場合は、溶解対象となる成分や、この成分が溶解した溶液に強いせん断力が加わらない攪拌装置を利用することもできる。このような攪拌装置としては、各種攪拌翼を備えた可搬型攪拌機、同堅型攪拌機、同側面攪拌機、管路攪拌機等を用いることが出来る。更に、上記の基剤や凝集剤の調製に関しては、上述した各種の混合攪拌機を２種類以上組み合わせて利用することもできる。
【００４４】
（２）パック生成方法
本発明のパックは、例えば、（ｉ）少なくとも（Ａ）高分子ラテックスを含む基剤、及び（ｉｉ）少なくとも（Ｂ）低分子無機系凝集剤、高分子無機系凝集剤、合成高分子凝集剤、酸、及びそれらの混合物から成る群より選択された凝集剤を調製しておき、片一方を乳頭に付着させ、次いで他方を付着させることにより生成する。基剤を乳頭に付着させた後、凝集剤を乳頭に付着させるのが好ましい。
【００４５】
被覆方法（付着方法）としては、浸漬法、はけ塗り法、噴霧法などが挙げられるが、特に制限されない。好ましくは浸漬法である。
【００４６】
浸漬法を用いる場合の基剤及び凝集剤の粘度は、各溶液中に乳頭が容易に浸漬するように適宜選択すれば良い。
【００４７】
浸漬法を用いる場合の基剤及び凝集剤の粘度は、２３℃でコーンプレート型粘度計により測定した値で、１〜３０００ｍＰａ・ｓの範囲にあるのが好ましい。
【００４８】
なお、噴霧法を用いる場合の基剤及び凝集剤の粘度は、噴霧のし易さから１〜１０００ｍＰａ・ｓの範囲にあるのが好ましい。
【００４９】
浸漬法を用いる場合、例えば家畜の乳頭を収容可能な筒状又はカップ状の容器に基剤及び凝集剤をそれぞれ入れる。続いて、容器を乳頭の付け根方向に移動させ（引き上げ）、容器中の溶液に乳頭を浸漬した後、容器を乳頭先端方向に移動させる（引き下げる）操作を基剤、凝集剤それぞれについて行う。浸漬は、乳頭長を１００％として、長さ基準で、乳頭の１０％以上、好ましくは２０％以上が基剤または凝集剤に浸されるように行えば良い。乳頭の浸漬時間は、基剤、凝集剤それぞれについて乳頭に十分に付着させるため２秒以上が好ましい。
【００５０】
容器は清潔なものである限り、その材質は制限されず、金属、セラミック、プラスチック、紙などいずれでも使用できる。また、容器は基剤及び凝集剤の無駄を少なくするために、基剤または凝集剤を乳頭に付着させるために必要な最低限の内容積を有していればよい。円筒状又はカップ状容器の場合、内径が約４ｃｍ〜約８ｃｍで、高さが約２ｃｍ〜約１０ｃｍのものを使用することが出来る。容器の内側に、適量の基剤又は凝集剤を入れることができるようにした目印を備えていると便利である。
【００５１】
基剤及び凝集剤を乳頭に均一に付着させるために、浸漬後に容器を乳頭先端方向に移動させる速度（引き下げる速度）は１０〜１００ｍｍ／秒とするのが好ましく、２０〜５０ｍｍ／秒とするのがより好ましい。
【００５２】
基剤又は凝集剤が乳頭に十分付着した状態で、他方を乳頭に付着させてパックを形成させるために、２つの材料を、間隔を置かずに乳頭に付着させるのが好ましい。
【００５３】
基剤と凝集剤の乳頭への付着量の比（基剤／凝集剤 [質量部／質量部]）は特に制限されるものではないが、通常は０．５〜２の範囲内であることが好ましい。
【００５４】
（３）家畜用乳頭パック
本発明の乳用家畜用パックは、例えば、上記（２）のようにして、乳用家畜の乳頭に形成されることを特徴とする。乳用家畜用パックは、乳用家畜の乳頭の保護に用いることができる。具体的には、伝染性乳房炎からの保護、環境性乳房炎からの保護、汚れその他の外的環境因子からの保護のために用いることができる。本発明において、乳用家畜とは、特に搾乳用家畜であり、例えば乳牛、山羊、その他搾乳が行われる家畜である。
【実施例】
【００５５】
以下、実施例１〜実施例３６、及び実施例の効果などを検証するための比較例１〜比較例７を挙げて、本発明による基剤と凝集剤の２つを用いる家畜の乳頭保護方法を具体的に説明するが、本発明はこれらの例に限定されるものではない。
【００５６】
実施例１〜実施例３６、及び比較例１〜比較例７において乳頭パック生成に用いた原料の略号及び「密着性」、「耐久性」、「耐摩耗性」、「細菌数」、及び「パック外し易さ」の評価方法は以下の通りである。
【００５７】
＜原料＞
（Ａ）高分子ラテックス
天然ゴムラテックス（ＮＲ）：株式会社レヂテックス製  ＵＬＡＣＯＬ、固形分濃度６２％、粘度５０ｍＰａ・ｓ、最低造膜温度１０℃
イソプレンゴムラテックス（ＩＲ）：日本ゼオン株式会社製  Ｎｉｐｏｌ  ＭＥ、固形分濃度５０％、粘度５０ｍＰａ・ｓ、最低造膜温度１０℃
ブチルゴムラテックス（ＢＵＲ）、ＪＳＲ株式会社製、ＪＳＲ  ＢＵＴＹＬ０６５、固形分濃度５０％、粘度３２ｍＰａ・ｓ、最低造膜温度１０℃
ブタジエンゴムラテックス（ＢＲ）、ＪＳＲ株式会社製、ＪＳＲ  ＢＲ０１、固形分濃度５０％、粘度４５ｍＰａ・ｓ、最低造膜温度１０℃
スチレンブタジエンラテックス（ＳＢ）、ＪＳＲ株式会社製、ＪＳＲ  ＳＬ５５２、固形分濃度５０％、スチレンとブタジエンの重合比１：４、粘度５５ｍＰａ・ｓ、最低造膜温度５℃
ウレタンゴムラテックス（ＵＲ）、第一工業製薬株式会社製  スーパーフレックス４６０、固形分濃度４０％、粘度５０ｍＰａ・ｓ、最低造膜温度５℃
ニトリルゴムラテックス（ＮＩＲ）、ＪＳＲ株式会社製、ＪＳＲ  Ｎ２２２ＳＨ、固形分濃度５０％、粘度８５ｍＰａ・ｓ、最低造膜温度５℃
ニトリルブタジエンラテックス（ＮＢＲ）、日本ゼオン株式会社製、Ｎｉｐｏｌ  １５６１、固形分濃度４０％、粘度２５ｍＰａ・ｓ、最低造膜温度５℃
クロロプレンゴムラテックス（ＣＲ）、株式会社レヂテックス製  ＣＲ−６５００、固形分濃度５０％、粘度１００ｍＰａ・ｓ、最低造膜温度１０℃
アクリルゴムラテックス（ＡＣＲ）：日信化学工業株式会社製  ２５８０、固形分濃度４５％、粘度５０ｍＰａ・ｓ、最低造膜温度１０℃
酢酸ビニルゴムラテックス（ＶＡ）：日信化学工業株式会社製  Ａ２３Ｊ１−Ｆ２、固形分濃度４５％、粘度２０００ｍＰａ・ｓ、最低造膜温度１５℃
エチレン酢酸ビニルゴムラテックス（ＥＶＡ）：日信化学工業株式会社製  ４０１８、固形分濃度６１％、エチレンと酢酸ビニルの重合比１：１、粘度３００ｍＰａ・ｓ、最低造膜温度１０℃
シリコーンゴムラテックス（ＳＩＲ）：信越化学工業株式会社製  ＫＭ−８６０Ａ、固形分濃度６０％、粘度３５０ｍＰａ・ｓ、最低造膜温度−１５℃
フッ素ゴムラテックス（ＦＲ）：ダイキン工業株式会社製  Ｅ−３７０５Ｓ２１Ｒ、固形分濃度５０％、粘度３００ｍＰａ・ｓ、最低造膜温度１０℃
上記全てのラテックスの分散溶媒は水である。また、ラテックスの種類により、固形分濃度は異なっている。
【００５８】
（Ｂ）低分子無機系凝集剤、高分子無機系凝集剤、合成高分子凝集剤、酸、及びそれらの混合物から成る群より選択された凝集剤
乳酸：ＬＡ  和光純薬工業株式会社製
酢酸：ＡＡ  和光純薬工業株式会社製
プロピオン酸：ＰＡ  和光純薬工業株式会社製
フマル酸：ＦＡ  和光純薬工業株式会社製
マレイン酸：ＭＡＡ  和光純薬工業株式会社製
クエン酸：ＣＡ  和光純薬工業株式会社製
リンゴ酸：ＭＡ  和光純薬工業株式会社製
酒石酸：ＴＡ  和光純薬工業株式会社製
グルコン酸：ＧＡ  和光純薬工業株式会社製
コハク酸：ＳＡ  和光純薬工業株式会社製
塩化カルシウム：ＣＣ  和光純薬工業株式会社製
塩化マグネシウム：ＭＣ  和光純薬工業株式会社製
ミョウバン：ＡＬ  和光純薬工業株式会社製
（Ｃ）水及び／または水溶性溶媒
水：ＷＡ
エタノール：ＥＴ  和光純薬工業株式会社製
イソプロパノール：ＩＰＡ  和光純薬工業株式会社製
ブタノール：ＢＴ  和光純薬工業株式会社製
アセトン：ＡＣ  和光純薬工業株式会社製
＜その他成分＞
Ａｌｇ−Ｋ：アルギン酸カリウム（２０℃  １％水溶液粘度  ３００ｍＰａ・ｓｅｃ）  株式会社キミカ製
Ａｌｇ−Ｎａ：アルギン酸ナトリウム（２０℃  １％水溶液粘度  ３００ｍＰａ・ｓｅｃ）  株式会社キミカ製
硫酸カルシウム：硫酸カルシウム二水和物  和光純薬工業株式会社製
乳頭パック組成物調製用高分子化合物の有機溶媒溶液：表４
ａ：溶質ポリウレタンゴム１２質量部を、８８質量部の溶媒テトラヒドロフランに溶解したもの。
ｂ：溶質酢酸ビニル１２質量部を、８８質量部の溶媒キシレンに溶解したもの。
ｃ：溶質ブチルゴム９質量部を、９１質量部の溶媒トルエンに溶解したもの。
ｄ：溶質ブタジエンゴム９質量部を、９１質量部の溶媒トルエンに溶解したもの。
【００５９】
＜評価方法＞
（１）「密着性」の評価方法
乳牛の乳頭の形状（内径３ｃｍφ、長さ４ｃｍ）をした型の中に、歯科用シリコーン印象材（トクヤマデンタル社製 「ソフリライナータフ  スーパーソフト」）を入れ、印象材が硬化後、型から取り出し、疑似乳頭を作製した。
【００６０】
実施例１〜実施例３６においては、基剤及び凝集剤をそれぞれ、カップ（内径６ｃｍφ、長さ４ｃｍの筒状容器）の中に満たした。次に、上記疑似乳頭の上端を持ち、カップに満たされた基剤に接触させた状態から、ゆっくり力を加えていき、疑似乳頭先端の長さ２０％分を差し込み、直ちに引き抜いた。続いて、同様の方法により、基剤でコーティングされた疑似乳頭全体を凝集剤に付着（浸漬）させる事で、疑似乳頭周辺にパックを生成させた。造膜温度は乳頭の温度に近い３７℃とした。
【００６１】
比較例１においては、基剤をカップ（内径６ｃｍφ、長さ４ｃｍの筒状容器）の中に満たした。次に、上記疑似乳頭の上端を持ち、カップに満たされた基剤に接触させた状態から、ゆっくり力を加えていき、疑似乳頭先端の長さ２０％分を差し込み、直ちに引き抜いて疑似乳頭先端に基剤を塗布しそのまま放置した。
【００６２】
比較例２〜比較例５においては、各乳頭パック組成物調製用高分子化合物の有機溶媒溶液ａ〜ｄを４０ｇそれぞれカップ（内径６ｃｍφ、長さ４ｃｍの筒状容器）の中に満たした。次に、上記疑似乳頭の上端を持ち、カップに満たされた溶液に接触させた状態から、ゆっくり力を加えていき、疑似乳頭先端の長さ２０％分を差し込み、直ちに引き抜いて疑似乳頭先端に溶液を塗布しそのまま放置した。
【００６３】
比較例６及び比較例７においては、粉成分と液成分の重量比が１：１５となるように混練用カップの中に量り取り、混練用ヘラを用いて均一なペーストとなるまで混練し、得られたペーストをカップの中に満たした。次に、疑似乳頭の上端を持ち、カップに満たされたペーストに接触させた状態から、ゆっくり力を加えていき、乳頭すべてが隠れるまで差し込み、直ちに引き抜き、ペーストを硬化させた（１０分程度放置）。
【００６４】
上述した方法にて生成させたパック(疑似乳頭先端に生成させたパック)を、疑似乳頭の乳頭側を下方にぶら下げた状態で２３℃、相対湿度５０％の条件下に放置し、経時的に乳頭パックの状態を目視観察し、下記評価基準により評価した。
○：乳頭との密着性も良好で、脱落も生じていない状態。
△：乳頭との密着性が損なわれているものの、脱落までには至っていない状態。（乳頭パックが下方に移動している。）
×：乳頭パックが乳頭から脱落した状態。
【００６５】
（２）「耐久性」の評価方法
乳牛の乳頭の形状（内径３ｃｍφ、長さ４ｃｍ）をした型の中に、歯科用シリコーン印象材（トクヤマデンタル社製 「ソフリライナータフ  スーパーソフト」）を入れ、印象材が硬化後、型から取り出し、疑似乳頭を作製した。
【００６６】
パックを温度２３℃、相対湿度５０％ＲＨの環境下で１５分、１時間、１日間、２日間、３日間、４日間それぞれ放置した。その各々のパックに対して下記に示す耐久試験を実施した。実際のパック使用現場を想定し、耐久試験において、パックを衝突させる面は土とした。
【００６７】
疑似乳頭の中心軸方向から荷重が加わるように、疲労試験機（インストロン社製、Ｅ３０００）にセットし、１〜５ｋｇｆ／ｃｍ２の荷重を加えた。なお、３ｋｇｆ／ｃｍ２を荷重の中央値とし、振幅を２ｋｇｆ／ｃｍ２とした。また、周波数を１Ｈｚ、サイクル数を１００とした。
【００６８】
耐久試験を実施した後、パックの状態を目視にて観察し、下記評価基準に基づいて「耐久性」を評価した。なお、３日後までに×の評価となった場合には、それ以降の試験は実施しなかった。表には、―（評価なし）と記している。
【００６９】
耐久性  評価基準：
○：パックの破損や浮き上がりは認められない。
△：パックが一部破損しているものの、乳頭口付近は被覆されている。
×：全体が破損、あるいは剥離している。
【００７０】
（３）「耐摩耗性」の評価方法
乳牛の乳頭の形状（内径３ｃｍφ、長さ４ｃｍ）をした型の中に、歯科用シリコーン印象材（トクヤマデンタル社製 「ソフリライナータフ  スーパーソフト」）を入れ、印象材が硬化後、型から取り出し、疑似乳頭を作製した。
【００７１】
「密着性」の評価の場合と同様に、疑似乳頭周辺にパックを形成させた。続いて、パックを温度２３℃、相対湿度５０％ＲＨの環境下で１５分、１時間、１日間、２日間、３日間、４日間それぞれ放置した。その各々のパックに対して下記に示す摩耗試験を実施した。
【００７２】
疑似乳頭を、乳頭口を上にして治具で固定し動かないようにしてから秤に乗せ、ブラシ（毛の長さ２５ｍｍ、毛の材質：ナイロン製）により乳頭口付近を水平方向に５０往復こすった。その際、振幅は約５ｃｍ、荷重は約１ｋｇｆとした。摩耗試験を実施した後、パックの状態を目視にて観察し、下記評価基準に基づいて「耐摩耗性」を評価した。なお、３日後までに×の評価となった場合には、それ以降の試験は実施しなかった。表には、―（評価なし）と記している。
【００７３】
耐摩耗性  評価基準
○：乳頭口付近の露出は認められない。
△：乳頭口の一部が露出している。
×：乳頭口が完全に露出している。
【００７４】
（４）「細菌数」の評価方法
上記（２）「耐久性」の評価でパック装着４日後に耐久試験した後のパックを内部に汚れが付かないように慎重に剥がした。パックをしていた乳頭口に当たる部分約１ｃｍ２を綿棒（Ｐｒｏｍｅｄｉａ  ＳＴ−２５、エルメックス社製）によりふき取り、１０ｍＬの生理食塩水に綿棒を浸漬させた。その内の１ｍＬを培地（好気性金用培地、６４００ＡＣ、３Ｍ社製）に滴下し、３７℃で４８時間培養した。培養後、培地中のコロニー数をカウントし、１個の細菌が１個のコロニーを形成すると仮定し、コロニー数から上記１０ｍＬの生理食塩水中の細菌数を算出した（コロニー数×１０＝細菌数）。求めた細菌数を以下の基準に従い評価した。一般的には、１０００個／ｃｍ２未満であれば清潔に保たれていると判断できる。
【００７５】
なお、外部の細菌数（土の中にいる細菌数）はばらつきがあるものの概ね１００００個／ｃｍ２以上である。
○１０００個／ｃｍ２未満：細菌数が少なく、パック内部が清潔に保たれている。
△１０００個／ｃｍ２以上１００００個／ｃｍ２未満：細菌数はやや多めだが、外部の細菌数よりは少ない。
×１００００個／ｃｍ２以上：細菌数が多くなっており、パックによる細菌数低減効果が確認できない。
【００７６】
（５）「パック外し易さ」の評価方法
上記の（１）と同様にしてパックを生成させ、疑似乳頭の乳頭側を下方にぶら下げた状態で２３℃、相対湿度５０％の条件下で１日放置した。疑似乳頭全体を綿製の布（２０ｃｍ四方）で強くふき取った時に、そのパックをきれいに外すことが出来るか評価した。
○：１回できれいにパックを剥がすことが出来る。
△：１回ではパックを剥がせないが、２〜３回拭き取れば剥がすことが出来る。
×：２〜３回ふき取ってもパックを剥がすことが出来ない。
【００７７】
実施例１
（Ａ）天然ゴムラテックスを４０ｇ容器に量りとり、基剤とした。また、（Ｂ）乳酸４０ｇを量りとり、凝集剤とした。
【００７８】
基剤及び凝集剤を用いて、パックを形成させ「密着性」、「耐久性」、「耐摩耗性」、「細菌数」、及び「パック外し易さ」の評価を行った。
【００７９】
実施例２〜実施例２５
基剤及び凝集剤の組成を表１〜表２に示すものにした以外は、実施例１と同様にしてパックを形成させ、「密着性」、「耐久性」、「耐摩耗性」、「細菌数」、及び「パック外し易さ」の評価を行った。
【００８０】
実施例２６
天然ゴムラテックスを４０ｇ容器に量りとり、基剤とした。凝集剤は、水５００ｇに乳酸１００ｇを添加し３０分攪拌して調製した。調製した凝集剤の内、４０ｇを容器に量り取った。基剤及び凝集剤を用いて、パックを形成させ「密着性」、「耐久性」、「耐摩耗性」、「細菌数」、及び「パック外し易さ」の評価を行った。
【００８１】
実施例２７〜実施例３６
基剤及び凝集剤の組成を表２に示すものにした以外は、実施例２６と同様にしてパックを形成させ、「密着性」、「耐久性」、「耐摩耗性」、「細菌数」、及び「パック外し易さ」の評価を行った。
【００８２】
比較例１
天然ゴムラテックスを４０ｇ容器に量りとり、基剤とした。基剤を用いてパックを形成させ、「密着性」、「耐久性」、「耐摩耗性」、「細菌数」、及び「パック外し易さ」の評価を行った。
【００８３】
比較例２〜比較例５
乳頭パック組成物調製用高分子化合物の有機溶媒溶液を４０ｇ量りとり、そのまま基剤として用いた。基材を用いてパックを形成させ、「密着性」、「耐久性」及び、「耐摩耗性」、「細菌数」、及び「パック外し易さ」の評価を行った。
【００８４】
比較例６
アルギン酸ナトリウム２０．０ｇ、硫酸カルシウム２０．０ｇをそれぞれ小型ミキサー（イワタニ社製  フードミキサー）に投入し５分間撹拌し、均一な粉成分を得た。また液成分として蒸留水６００ｇを用意した。粉成分及び液成分を用いてパックを形成させ、「密着性」、「耐久性」、「耐摩耗性」、「細菌数」、及び「パック外し易さ」の評価を行った。
【００８５】
比較例７
粉成分の組成を表５に示すものにした以外は、比較例６と同様にしてパックを形成させ、「密着性」、「耐久性」、「耐摩耗性」、「細菌数」、及び「パック外し易さ」の評価を行った。
【００８６】
実施例１〜実施例３６及び比較例１〜７の家畜用乳頭パック材料の組成を表１〜表５に示した。また、実施例１〜３６及び比較例１〜７における、「密着性」、「耐久性」、「耐摩耗性」、「細菌数」、及び「パック外し易さ」の評価結果を表６〜表８に示す。
【００８７】
【表１】
0006663203.tif 000002
【００８８】
【表２】
0006663203.tif 000003
【００８９】
【表３】
0006663203.tif 000004
【００９０】
【表４】
0006663203.tif 000005
【００９１】
【表５】
0006663203.tif 000006
【００９２】
【表６】
0006663203.tif 000007
【００９３】
【表７】
0006663203.tif 000008
【００９４】
【表８】
0006663203.tif 000009
【００９５】
実施例１〜実施例３６は、本発明の要件全てを満足するように調整したものであるが、いずれの場合においても、密着性、耐久性、耐摩耗性が高い被膜が得られた。細菌数は十分に少なく、パックは外し易かった。
【００９６】
これに対して、比較例１は、（Ｂ）低分子無機系凝集剤、高分子無機系凝集剤、合成高分子凝集剤、酸、及びそれらの混合物から成る群より選択された凝集剤を使用しなかった例であるが、パック材が乾燥してパックが形成するのに３０分程度要したため、パック組成物塗布後１５分後の時点ではパックが形成しておらず、耐久試験中及び耐摩耗性試験中にパック材が散逸し耐久試験及び摩耗試験を耐えることは出来なかった。
【００９７】
比較例２〜比較例５は、特許文献３に倣い、乳頭パック組成物調製用高分子化合物の有機溶媒溶液をそのまま基剤として用いた例であるが、パック材が乾燥してパックが形成するのに３０分程度要したため、パック組成物塗布後１５分後の時点ではパックが形成しておらず、耐久試験及び摩耗試験を耐えることは出来なかった。
【００９８】
比較例６及び比較例７は、特許文献４に倣い、アルギン酸塩を用いた組成物を塗布した場合であるが、混錬時に気泡が多く混入し、また混錬物の粘度が均一でない為、１日未満でひび割れるなどし、パックの密着性、耐久性、耐摩耗性が著しく低いことが分かった。